(57)【特許請求の範囲】
【請求項１】
シリル基を有するラジカル重合性不飽和単量体（Ａ）と共重合可能な他のラジカル重合性不飽和単量体（Ｂ）とをラジカル重合性界面活性剤の存在下で別々に乳化重合してなる２種以上の合成樹脂エマルジョンを混合することによるか、あるいは重合段階で単量体組成を変化させながら多段乳化重合することにより得られる２点以上のガラス転移点を有する合成樹脂エマルジョンとコロイダルシリカを含んでなるインクジェット記録媒体用コーティング組成物。
【請求項２】
合成樹脂エマルジョンの少なくとも１点のガラス転移点が３０℃以下であり、かつ前記以外の少なくとも１点のガラス転移点が３０℃より高い請求項1に記載のインクジェット記録媒体用コーティング組成物。
【請求項３】
合成樹脂エマルジョンが、別々に乳化重合した異なるガラス転移点を有する2種以上のエマルジョン粒子からなる請求項1または2のいずれかに記載のインクジェット記録媒体用コーティング組成物。
【請求項４】
合成樹脂エマルジョンが、重合段階で単量体組成を変化させながら多段乳化重合することにより製造されたものである請求項1から3のいずれかに記載のインクジェット記録媒体用コーティング組成物。
【請求項５】
共重合可能な他のラジカル重合性不飽和単量体（B)が主単量体として（メタ）アクリル酸アルキルエステル、(メタ）アクリル酸シクロアルキルエステル、スチレン、分岐カルボン酸のビニルエステルより選ばれた少なくとも1以上と、官能性単量体としてエチレン性不飽和カルボン酸より選ばれた少なくとも1以上のものよりなる請求項1から４のいずれかに記載のインクジェット記録媒体用コーティング組成物。
【請求項６】
シリル基を有するラジカル重合性不飽和単量体（Ａ）の使用量が使用する全ラジカル重合性不飽和単量体に対して、０．１〜１５重量部、好ましくは０．５〜１０重量部である請求項１から５のいずれかに記載のインクジェット記録媒体用コーティング組成物。
【請求項７】
ラジカル重合性界面活性剤の使用量が全単量体に対し０．３〜１０重量％である請求項１から６のいずれかに記載のインクジェット記録媒体用コーティング組成物。
【請求項８】
合成樹脂エマルジョンとコロイダルシリカの配合比率が不揮発分換算で10：90〜90：10である請求項1から７のいずれかに記載のインクジェット記録媒体用コーティング組成物。
【請求項９】
基材上の少なくとも一面に、顔料、接着剤、定着剤から成るインク定着層を設け、そのインク定着層の少なくとも一面の上に請求項1から８のいずれかに記載のインクジェット記録媒体用コーティング組成物を塗工してなるインクジェット記録媒体。
【請求項１０】
顔料、定着剤を内在する基材上に請求項1から8のいずれかに記載のインクジェット記録媒体用コーティング組成物を塗工したインクジェット記録媒体。
【発明の詳細な説明】
【０００１】
【発明の属する技術分野】
本発明は高光沢の写真画像対応のインクジェット印刷に用いられる記録媒体用のコーティング組成物に関するもので、更に詳しくは、インク定着層上に光沢を付与するために形成されるキャスト層に用いられるコーティング組成物に関する。本発明はまた、このようなコーティング組成物で被覆されたインクジェット記録媒体に関する。本発明の組成物を被覆したインクジェット記録媒体は、光沢が高く、耐候性、折り曲げによる応力変化に対する追従性および高いインク受容性を兼ね備えている点で優れている。
【０００２】
【従来技術】
インクジェットプリンターによる印刷は、高精細画像を手軽に楽しめる事から、昨今急成長を遂げている。そのインクジェット印刷用基材には通常光沢紙や非光沢紙が用いられ、それぞれについて日々技術革新がなされており、それに伴う特許も数多く出願されている。インクジェット記録媒体の画像形成、定着メカニズムはカチオン性の薬剤や顔料等を含む基材にアニオン性のインクが印刷され、アニオン成分とカチオン成分との凝集によりインクが定着されるのが一般的である。光沢紙では、カチオン成分を含むインク定着層の上に塗布された光沢層が微細な孔やクラックを持ち、インクを浸透させる事でその下層のインク定着層とインクとの間の作用による画像形成、定着が行われているものが主に見られる。
【０００３】
特開平７−１４９０３８には、エチレン性不飽和結合を有するモノマーを重合してなるガラス転移点（Ｔｇ）４０℃以上の重合体にコロイダルシリカ等の顔料を含む塗料を塗布し、重合体が完全に成膜を起こさない状態でガラス転移点以下の温度でキャストコーティングによる表面光沢処理を施して、光沢を有したまま造膜不良状態の層を紙表面に形成する事で、インクの浸透を促進し、その下層のインク定着層にインクを運ぶ事が提案されている。  しかし、この場合、ガラス転移点が室温より高く（４０℃以上）、また積極的に造膜不良を起こさせている事から、光沢層は非常に脆く、このインクジェット紙を丸めたり、折り曲げると、光沢層に容易に多数のクラックが入る等の問題が見られた。
【０００４】
特開平１０−２１７６０１では、造膜が比較的良好な水溶性樹脂を接着剤として用い、顔料を多量に混和して造膜を悪くする事によってインクジェット光沢層を形成させているが、水溶性樹脂は耐水性に問題があること、エチレン性不飽和結合を有する単量体の様に自由にＴｇを変化させる事が出来ないため、設計の自由度が少ないこと、水溶性樹脂は低粘度でかつ高濃度の塗料処方には向かないこと等の問題点がみられた。
【０００５】
【発明が解決しようとする課題】
従来技術のキャスト層コーティング剤の有するインク受容層への速やかなインク透過性を維持しつつ、不充分であった光沢の更なる向上、耐候性の向上、折り曲げによる応力変化に十分な追従性を付与することのできるコーティング組成物を得ることが望まれていた。
【０００６】
【解決手段】
本発明に従えばシリル基を有するラジカル重合性不飽和単量体（Ａ）と共重合可能な他のラジカル重合性不飽和単量体（Ｂ）とをラジカル重合性界面活性剤の存在下で別々に乳化重合させてなる２種以上の合成樹脂エマルジョンを混合するか、あるいは重合段階で単量体組成を変化させながら多段乳化重合して得られる２点以上のガラス転移点を有する合成樹脂エマルジョンとコロイダルシリカよりなる組成物を光沢層に用いることにより前記の課題を解決し得ることがわかった。つまり、乳化重合の際にラジカル重合性界面活性剤を使用することで、フィルム表面に界面活性剤がブリードアウトすることなく、インク透過性に悪影響を及ぼさず、シリル基を有するラジカル重合性不飽和単量体（Ａ）の共重合性によってフィルム表面の耐スクラッチ性を向上させている。 さらに、不連続な膜を形成しやすい高いガラス転移点を有する合成樹脂成分により、高いインク透過性を発揮せしめ、均一な膜を生成する低いＴｇを有する合成樹脂の成分により光沢を向上せしめ、かつ折り曲げによる応力変化に対する追従性を向上させ、合わせてフィルムの脆さを改善することができる。 さらに、コロイダルシリカの存在により、光沢層の透明性を維持しつつインク受容性を向上させることができる。
一般にラジカル重合性不飽和結合を有する単量体を重合して成る合成樹脂は、Tgの設計が自由で、任意の温度を設計出来、且つ様々な条件下で重合反応を行う事により、複数の変局点を持つＴｇ曲線を持つ合成樹脂エマルジョンを得る事が出来る。
【０００７】
【発明の実施の形態】
本発明は、シリル基を有するラジカル重合性不飽和単量体（Ａ）と、共重合可能な他のラジカル重合性不飽和単量体（Ｂ）とを、ラジカル重合性界面活性剤の存在下で乳化重合させてなる異なる２点以上のガラス点移転点（Ｔｇ）を有する合成樹脂エマルジョンとコロイダルシリカよりなるインクジェット記録媒体用コーティング組成物およびこのようなインクジェット記録媒体用コーティング組成物で塗工したインクジェット記録媒体にかかるものである。
【０００８】
本発明のコーティング組成物を構成する合成樹脂エマルジョンは、シリル基を有するラジカル重合性不飽和単量体（Ａ）と、共重合可能な他のラジカル重合性不飽和単量体（Ｂ）とを、ラジカル重合性界面活性剤の存在下で同時にあるいは別々に乳化重合させることにより得られる。特に本発明では、異なる２点以上のガラス点移転点を有する合成樹脂を製造するため、別々に乳化重合した異なるガラス転移点を有する２種以上のエマルジョン粒子を混合したり、段階的に重合中のモノマー組成を変更する多段重合を用いたり、随時重合中のモノマー組成を変更するいわゆるパワーフィード重合を用いたりする手段を用いる必要がある。
【０００９】
本発明では、別々に乳化重合させて得られたエマルジョン粒子を混合すること、および多段重合によって製造されたエマルジョンを用いる事が、求められる物性をバランス良く発揮させることができる点で好ましい。
【００１０】
次ぎに本発明の組成物を構成する各成分について説明する。
【００１１】
＜単量体成分＞
（Ａ）シリル基を有するラジカル重合性不飽和単量体
本発明のシリル基を有するラジカル重合性不飽和単量体（Ａ）は、シリル基が加水分解し架橋構造をとるためフィルム表面の耐スクラッチ性を改善するだけではなく、珪素などの無機成分とポリマーをカップリングする効果が期待でき、コロイダルシリカを使用する本発明では、ポリマーとコロイダルシリカが化学的に結合して、無機と有機との双方の材料の特徴が生かされたフィルムが形成される。具体的には、柔軟で、耐水性、耐熱性に富むフィルムが形成されるのである。
【００１２】
本発明に使用されるシリル基を有するラジカル重合性不飽和単量体（Ａ）としては、ラジカル重合性不飽和結合を有する、下記一般式（１）又は一般式（２）で表される化合物である。
Ｒ−Ｓｉ（Ｘ）３  ・・・・・・・・・・・・・（１）
Ｒ−Ｓｉ（Ｒ’）（Ｘ）２  ・・・・・・・・・（２）
前記一般式（１）及び（２）において、Ｒは、ビニル基、（メタ）アクリロキシ基、エポキシ基、メルカプト基、アミノ基又はイソシアネート基等を有する有機基を表す。Ｒ’は、炭素数１〜３の低級アルキル基を表す。Ｘは、ラジカル重合性不飽和結合を有する、メトキシ基又はエトキシ基を表す。
アルコキシシリル基を側鎖に有する単量体としては、例えば、ビニルトリメトキシシラン、ビニルメチルジメトキシシラン、ビニルジメチルメトキシシラン、ビニルトリエトキシシラン、ビニル（２−メトキシエトキシ）シラン、ビニルトリアセトキシシラン等のビニルオルガノアルコキシシラン、γ−メタクリロキシプロピルトリメトキシシラン、γ−グリシドキシプロピルトリメトキシシラン、γ−グリシドキシプロピルメチルジメトキシシラン、３，４−エポキシシクロヘキシルエチルトリメトキシシラン、３，４−エポキシシクロヘキシルエチルジメトキシシラン等のエポキシオルガノアルコキシシラン、γ−メルカプトプロピルトリメトキシシラン等のメルカプトオルガノアルコキシシラン、γ−メタアクリロキシプロピルトリメトキシシラン、γ−メタアクリロキシプロピルトリエトキシシラン等が挙げられる。
本発明では、これらの不飽和単量体（Ａ）は、１種単独で使用してもよいし、２種以上を併用してもよい。本発明においては、これらの中でも、重合性の点で、特にビニルトリエトキシシラン、３一メタクリロキシプロピルトリエトキシシランを用いるのが好ましい。
前記シリル基を有するラジカル重合性不飽和単量体（Ａ）の使用量としては、使用する全ラジカル重合性不飽和単量体に対して、０．１  〜  １５重量部が適当であり、好ましくは０．５  〜  １０重量部である。
【００１３】
前記シリル基を有するラジカル重合性不飽和単量体の使用量が、０．１重量％未満であると、コロイダルシリカとの複合化が不充分となり、耐水性が低下することがあり、１５重量％を超えると、重合の不安定化、凝集物の多発生、高粘度化、等が起こり得る。
【００１４】
（Ｂ）共重合可能な他のラジカル重合性不飽和単量体
本発明に用いられる共重合可能な他のラジカル重合性不飽和単量体（Ｂ）としては、通常の乳化重合に使用可能なものであれば、特に制限無く使用できる。
【００１５】
これらは、合成樹脂の主成分となる主単量体（Ｂ−１）と、合成樹脂を変性してさらなる機能を付与する官能性単量体（Ｂ−２）からなる。
【００１６】
例えば、主単量体（Ｂ−１）としては合成樹脂の主成分となる単量体として（メタ）アクリル酸アルキルエステル、（メタ）アクリル酸シクロアルキルエステル、オレフィン、ビニルエステル、芳香族ビニル化合物などが挙げられる。
【００１７】
より具体的には、（メタ）アクリル酸アルキルエステル、（メタ）アクリル酸シクロアルキルエステルとしては、メチル、エチル、ｎ−ブチル、ｔ−ブチル、プロピル、２−エチルヘキシル、オクチルなどのアルキル基の炭素数が１〜１２の（メタ）アクリル酸アルキルエステル、シクロヘキシルアクリレート、シクロヘキシルメタクリレートなどが挙げられる。
【００１８】
オレフィンとしては、エチレン、プロピレン、ビニルエステルとしては、酢酸ビニル、分岐カルボン酸のビニルエステル、ラウリン酸ビニルなどが挙げられ、芳香族ビニル化合物としては、スチレン、α―メチルスチレンなどが挙げられる。
【００１９】
さらに、合成樹脂を変性して貯蔵安定性、耐水性、耐薬品性、耐候性、接着性などの機能を付与する官能性単量体（Ｂ−２）としては、例えば貯蔵安定性や接着性を改善するエチレン性不飽和カルボン酸（Ｂ−２ａ）、耐水性、耐候性、耐薬品性、接着性などを改善するラジカル重合性不飽和結合を２以上有する単量体（Ｂ−２ｂ）、アミド基、ニトリル基、ヒドロキシル基、グリシジル基、メチロール基、カルボニル基、第４級アンモニウム塩、エチレンオキサイド鎖、塩素を側鎖に有する単量体等（Ｂ−２その他）が挙げられる。
【００２０】
エチレン性不飽和カルボン酸（Ｂ−２ａ）としてはアクリル酸、メタクリル酸、クロトン酸、マレイン酸などが挙げられる。
【００２１】
ラジカル重合性不飽和結合を２以上有する単量体（Ｂ−２ｂ）としては、ジビニル化合物、ジ（メタ）アクリレート化合物、トリ（メタ）アクリレート化合物、テトラ（メタ）アクリレート化合物、ジアリル化合物、トリアリル化合物、テトラアリル化合物などが挙げられ、より具体的には、ジビニルベンゼン、ジビニルアジペート、エチレングリコールジ（メタ）アクリレート、ジエチレングリコールジ（メタ）アクリレート、トリエチレングリコールジ（メタ）アクリレート、ポリエチレングリコールジ（メタ）アクリレート、ポリプロピレングリコールジ（メタ）アクリレート、ネオペンチルグリコールジ（メタ）アクリレート、１，３−ブチレングリコールジ（メタ）アクリレート、１，３−ブチルジ（メタ）アクリレート、トリメチロールエタントリ（メタ）アクリレート、トリメチロールプロパントリ（メタ）アクリレート、ジペンタエリスリットトリ（メタ）アクリレート、ジアリルフタレート、トリアリルジシアヌレート、テトラアリルオキシエタンなどが挙げられる。
その他の官能性単量体（Ｂ−２その他）としては、ヒドロキシル基を有する単量体として、ヒドロキシエチルメタクリレート、ヒドロキシエチルアクリレート、ヒドロキシプロピルメタクリレート、ヒドロキシプロピルアクリレート、ヒドロキシブチルメタクリレート、ヒドロキシブチルアクリレートなどが挙げられ、アミド基を有する単量体としては、アクリルアミド、メタクリルアミドなどが挙げられ、ニトリル基を有する単量体としては、アクリロニトリルなどが挙げられ、塩素を側鎖に有する単量体としては、塩化ビニル、塩化ビニリデンなどが挙げられ、グリシジル基を有する単量体としては、グリシジルメタアクリレート、グリシジルアクリレートが挙げられ、メチロール基を有する単量体としては、Ｎ−メチロールアクリルアミド等が挙げられ、カルボニル基を有する単量体としては、アセトアセトキシエチルメタクリレート等が挙げられる。
【００２２】
本発明では、（Ｂ−１）の主単量体としては、（メタ）アクリル酸アルキルエステル、（メタ）アクリル酸シクロアルキルエステル、スチレン、分岐カルボン酸のビニルエステルが好ましい。これらは、単独で使用してもかまわないが、複数のものを組合せて使用することが好ましい。例えば、２種以上の（メタ）アクリル酸アルキルエステル、スチレンの組み合わせ、２種以上の（メタ）アクリル酸アルキルエステルの組み合わせ、分岐カルボン酸のビニルエステルとメタアクリル酸アスキスエステルの組み合わせが、耐水性、対候性、重合安定性などの点から好ましい。（メタ）アクリル酸アルキスエステルを２種以上組み合わせて使用するこたは、ガラス転移点の調整、諸物性の向上に都合がよいからである。
【００２３】
さらに、（Ｂ−２）の官能性単量体としては、エチレン性不飽和カルボン酸が好ましく、このエチレン性不飽和カルボン酸は、合成樹脂エマルジョン粒子表面に配向しやすく、その水酸基を一部中和することによって電気ニ重層を形成しエマルジョン粒子の分散安定性に寄与する。
【００２４】
なお上記の（Ｂ）成分としては、少なくともそのうちの１つの成分を用いればよいが、（メタ）アクリル酸アルキルエステル、（メタ）アクリル酸シクロアルキルエステル、スチレン、分岐カルボン酸のビニルエステルより選ばれた少なくとも１以上と、官能性単量体としてエチレン性不飽和カルボン酸より選ばれた少なくとも１以上を組み合わせて用いるのが好ましい。
＜重合中に使用されるその他の成分＞
本発明における乳化重合は、水性媒体中で公知の他の成分の添加の下に行われ、この際のほかの成分としては、界面活性剤、重合開始剤が使用される。されに、保護コロイド、連鎖移動剤、ｐＨ調整剤、紫外線吸収剤、光酸化防止剤、等を所望により使用してもよい。
界面活性剤は、乳化重合の際の乳化剤として機能し、具体的には、通常のアニオン性、カチオン性又はノニオン性界面活性剤が挙げられる。本発明では、特に分子内にラジカル重合可能な不飽和基を１個有するラジカル重合性界面活性剤が使用される。
ラジカル重合性界面活性剤は、その重合性不飽和結合の存在により、ポリマー成分と化学結合しており、フィルムを形成したときに遊離性の界面活性剤としてフィルム表面にブリードアウトすることがない。これにより、インクジェット印刷ににじみが生じることなく、速やかに定着層へインクが浸透する。ラジカル重合性界面活性剤を使用しない場合は、遊離の界面活性剤がフィルム表面にブリードアウトして存在し、印刷時にインクのにじみが生ずる。
【００２５】
ラジカル重合性界面活性剤としては、公知の物質中から適宜選択することができ、例えばアニオン性、ノニオン性のものなどが挙げられるが、その具体例としては、以下に示す化合物１）〜１６）が挙げられる。
【００２６】
【化１】
0003599677.tif 000002
【００２７】
【化２】
0003599677.tif 000003
【００２８】
【化３】
0003599677.tif 000004
【００２９】
【化４】
0003599677.tif 000005
【００３０】
【化５】
0003599677.tif 000006
【００３１】
【化６】
0003599677.tif 000007
【００３２】
【化７】
0003599677.tif 000008
【００３３】
【化８】
0003599677.tif 000009
【００３４】
【化９】
0003599677.tif 000010
【００３５】
【化１０】
0003599677.tif 000011
【００３６】
【化１１】
0003599677.tif 000012
【００３７】
【化１２】
0003599677.tif 000013
【００３８】
【化１３】
0003599677.tif 000014
【００３９】
【化１４】
0003599677.tif 000015
【００４０】
【化１５】
0003599677.tif 000016
【００４１】
【化１６】
0003599677.tif 000017
また、ラジカル重合性界面活性剤に加えてラジカル重合性不飽和結合を有さないアニオン、ノニオン系などの他の界面活性剤も併用することができる。すなわちアニオン界面活性剤としては、例えば、アルキルベンゼンスルホン酸ソーダ、アルキルスルホン酸ソーダ、ポリオキシエチレンアルキルエーテルスルホン酸ソーダ等が挙げられる。
ノニオン系界面活性剤としては、例えば、ポリオキシエチレンアルキルエーテル型、ポリオキシエチレンアルキルエーテル型、ポリオキシエチレンまたはリオキシプロピレングリコール型等が挙げられる。
これらの界面活性剤は、重合初期にその全量を仕込んだり、少なくともその一部を滴下したり、単量体と混合して乳化モノマーとして重合に用いたり、またそれらを併用して使用される。本発明では、重合安定性、粒子径の制御の面で、単量体と混合して乳化モノマーとして重合に用いることが好ましい。
【００４２】
全界面活性剤の使用量としては、全単量体に対し０．１〜２０重量％程度である。特に、本発明ではラジカル重合性界面活性剤を使用することが必須となるが、その使用量は全単量体に対し、０．３〜１０重量％、好ましくは０．５〜５．０重量％である。
ラジカル重合性界面活性剤の使用量が、０．３重量％未満であると反応系が凝集したり、反応が完結しなかったりすることがあり、それを避けるためラジカル重合性でない界面活性剤を必要以上に多く使用すれば、界面活性剤がコーティング層表面に遊離してインクのにじみが発生したりする。１０重量％を超えると反応系の粘度が高くなりすぎたり耐水性が低下することがある。
【００４３】
重合開始剤は、熱または還元性物質によってラジカル分解して単量体の付加重合を進行させるもので、水溶性または油溶性の過硫酸塩、過酸化物及びアビゾビス化合物などが挙げられ、例えば過硫酸カリウム、過硫酸アンモニウム、ｔ−ブチルハイドロパーオキサイド、過酸化水素、アゾビスイゾブチロニトリル（ＡＩＢＮ）、ロンガリット、メタ重亜硫酸ナトリウム、などが挙げられる。これらは、１種単独で使用してもよいし、２種以上を併用してもよい。これらの重合開始剤は、所望により遷移金属イオンを併用してもよく、該遷移金属イオンとしては、硫酸第二鉄、塩化第二銅、塩化第二鉄などが好ましい。
保護コロイドとしては、乳化重合に使用される公知のものであれば特に制限なく使用でき、例えば、ポリビニルアルコールおよびその誘導体、セルロースエーテルおよびその誘導体、澱粉誘導体等が挙げられ、これらは水溶液として使用される。
連鎖移動剤としては、特に制限はなく、公知のものの中から適宜選択すればよく、例えば、メタノール、エタノール、プロパノール、ブタノール等のアルコール、アセトン、メチルエチルケトン、シクロヘキサン、アセトフェノン、アセトアルデヒド、プロピオンアルデヒド、ｎ−ブチルアルデヒド、フルフラール、ベンズアルデヒド等の炭素数２〜８のカルボン酸類、ドデシルメルカプタン、ラウリルメルカプタン、ノルマルメプカプタン、チオグリコール酸、チオグリコール酸オクチル、チオグリセロールなどのメルカプタン類などが挙げられる。これらは、１種単独で使用してもよいし、２種以上を併用してもよい。
ｐＨ調整剤としては、アンモニア、水酸化ナトリウム、水酸化カリウムなどの公知のものが挙げられる。
紫外線吸収剤としては、特に制限は無いが、ベンゾフェノン誘導体、ベンゾトリアゾール誘導体のものが好適に使用される。これらの中にはラジカル重合性不飽和結合を有するものもあり、それらは合成樹脂成分に共重合されるので好ましい。
光酸化防止剤としては、ヒンダードフェノール系、ヒンダードピペリジン系のものが好適に使用され、紫外線吸収剤と同様に光酸化防止剤にはラジカル重合性不飽和結合を有するものもあり、それらは合成樹脂成分に共重合されるので好ましい。
【００４４】
本発明では、乳化重合で得られた合成樹脂エマルジョンが少なくとも２点以上のガラス転移点を有することを特徴とする。
【００４５】
合成樹脂エマルジョンのポリマーのガラス転移点（Ｔｇ）としては、少なくとも１点が３０℃以下、とくに−５０〜３０℃、他の少なくとももう１点が３０℃より高く、とくに１００℃以下であることが好ましく、さらに、少なくとも１点が−３０〜３０℃、他の少なくとも１点が５０〜９０℃であることがより好ましい。
【００４６】
低い側のガラス転移点が３０℃以下の場合では、乾燥により均一な被膜が得られ光沢が向上するばかりでなく、実際の使用時には、樹脂が充分な柔らかさを発揮し、記録媒体表面のコーティング層のひび割れを押さえることができる。また、高い側のガラス転移点が30℃より高い場合には、コーティング層にミクロのクラックが形成され、そのクラックを通してインクが下のインク受理層へ速やかに運ばれるため、インク透過性に優れている。本発明の樹脂成分はこれら両成分の有する優れた性質を同時に備えることができ、他の要件と共に組み合わされることによって極めて優れたコーティング組成物を提供する。
【００４７】
ここで、ガラス転移点とは、合成樹脂エマルジョン中の合成樹脂粒子が堅くて脆いガラス状態から軟らかいゴム状態に相変化を起こす温度をいう。本発明におけるエマルジョンガラス転移点は、この相変化する温度が少なくとも２点以上存在することを意味する。ガラス転移点を確認するには、示差走査熱料計（ＤＳＣ）のような分析器を用いて測定すれば、容易にその変局点の存在を確認することができる。
【００４８】
本発明のガラス転移点を２以上有する合成樹脂エマルジョンを得るためには、別々に乳化重合した合成樹脂エマルジョンを混合したり、重合段階での単量体組成を段階的に変化させる多段重合を用いたり、単量体組成を随時変更させていくパワーフィード重合法、さらに、シード重合法などを用いる事が必要である。これらの重合法で得られた合成樹脂エマルジョンのフイルムは、単量体組成を均質にして重合した合成樹脂エマルジョンとは異なる挙動を示す。単量体組成を均質にして重合した合成樹脂エマルジョンでは、各単量体が単独で重合された時に有する物性を相殺し合い、中間的な物性のフィルムが得られる。これ自体は合成樹脂エマルジョンの応用において有用な面もあるが、本発明のように重合法を特定することにより、相反する物性が共存するフィルムが得られるのである。これは、造膜したフィルムが、マクロの状態では均質化しているが、ミクロの状態では不均質な部分を有していることによるものと推察される。  本発明では、別々に重合した合成樹脂エマルジョン粒子を混合するか、または、多段重合による合成樹脂エマルジョンを用いることが好ましい。
【００４９】
合成樹脂エマルジョンを混合して用いる場合は、例えばガラス転移点が３０℃以下のアクリル酸エステル共重合体エマルジョンまたはスチレン・アクリル酸エステル共重合体エマルジョンと、ガラス転移点が５０℃以上のアクリル酸エステル共重合体エマルジョンまたはスチレン・アクリル酸エステル共重合体エマルジョンを不揮発分換算で１０  ：  ９０  〜  ９０  ：  １０（重量部）の割合で混合することが好ましい。
【００５０】
多段重合法により本発明の合成樹脂エマルジョンを得る場合は、例えばガラス転移点が所望の温度以下となる様に組成を調整したアクリル酸アクリルエステルを中心とした単量体を乳化重合し、続いてガラス転移点が所望の温度以上となる様に組成を変えたアクリル酸アクリルエステルを中心とした単量体を乳化重合することが好ましい。これにより、コア−シェル状、コンペイトウ状、ユキダルマ状等のエマルジョン粒子を形成させることができる。その場合のガラス転移点が低い組成とガラス転移点が高い組成の比率は不揮発分換算で  １０  ：  ９０  〜  ９０  ：  １０  （重量部）の割合であることが好ましい。
低いガラス転移点を有する樹脂成分が１０重量部以下では、十分な光沢が得られず、また、折り曲げ時の応力緩和が不十分となる。  また、９０重量部以上では、造膜が均一すぎて、インクを吸収するべき微細な孔やクラックが不足し、印刷適性が悪くなる。
【００５１】
本発明では、合成樹脂エマルジョンと共にコロイダルシリカを使用することを特徴とする。
【００５２】
コロイダルシリカは、コロイド状に水に分散させた超微粒子シリカゾルであり、その一次粒子の粒子径は通常５〜１００ｎｍの範囲である。
【００５３】
本発明において、前記コロイダルシリカは、市販品を使用でき、メタアルミン酸イオンなどの金属イオンにより表面処理されていてもよく、また、単分散のものであってもよいし、粒子が特殊処理により数珠状に連なったり分岐して繋がったものであってもよい。
【００５４】
これらの中でも、メタアルミン酸イオンなどの金属イオンにより表面処理されているものは、混和安定性に優れている点で好ましい。
【００５５】
コロイダルシリカの使用量としては、合成樹脂エマルジョンに対し不揮発分換算で、合成樹脂エマルジョン：コロイダルシリカ＝１０：９０〜９０：１０が好ましく、さらに、３０：７０〜７０：３０がより好ましい。
＜コーティング組成物に添加するその他の成分＞
本発明のコーティング組成物には、必要に応じて白色度、粘度、流動性、混和性、保存性、耐候性、作業性等を調節したり、補うために、水系のコーティング組成物に使用できる各種顔料、染料、着色顔料増粘剤、ｐＨ調整剤、界面活性剤、分散剤、消泡剤、凍結防止剤、離型剤、紫外線吸収剤、光酸化防止剤等を添加することができる。
本発明のコーティング組成物を光沢層として塗工し、乾燥させる事によって、インクジェット記録媒体が得られる。その際、基材やインク塗着層の材質および構造はインクジェット記録用媒体に一般的に用いられる基材やインク塗着層であれば特に限定されない。例えば、紙やフィルム、布等の基材自体にインク受容機能を持たせた媒体に、光沢を付与する為に、本発明の光沢層を公知の塗工方法（コンマコーター、ブレードコーター、エアナイフコーター等）で塗布し、乾燥および光沢を付与する処理を施す。
【００５６】
基材に、顔料、バインダー、インク定着能のカチオン性物質等からなる組成物をコーティングしてインク受容機能を持たせるためにはインク定着層を施したり、、紙や布などの場合は、顔料、バインダー、インク定着能を有するカチオン性物質等を含浸したり、抄紙段階で添加したりしてそれらの少なくとも一部または全部を内在させることもできる。
【００５７】
顔料としては、例えば酸化亜鉛、酸化チタン、炭酸カルシウム、珪酸、珪酸塩、クレー、タルク、マイカ、焼成クレー、水酸化アルミニウム、硫酸バリウム、リトポン、シリカ、コロイダルシリカなどの無機顔料、ポリスチレン、ポリエチレン、ポリプロピレン、エポキシ樹脂、アクリル樹脂、アクリル−スチレン共重合体等の真球、中空、あるいはさまざまな形状、構造に加工されたプラスチックピグメントなどがあげられる。
【００５８】
バインダーとしては、ポリビニルアルコール、変性ポリビニルアルコール、澱粉およびその誘導体、セルロースエーテルおよびその誘導体、ポリアクリル酸ソーダ、ポリビニルピロリドン、アクリルアミド共重合体、（メタ）アクリル酸共重合体、ポリエチレングリコール、ポリ酢酸ビニル、ポリウレタン、ウレタン−アクリル共重合体、エチレン−酢酸ビニル共重合体、塩化ビニル−酢酸ビニル共重合体、スチレン−ブタジエン共重合体、スチレン−ブタジエン−アクリル共重合体、ニカワ、カゼイン、大豆タンパク、ゼラチン、アルギン酸ソーダなどの合成および天然高分子などが使用できる。
【００５９】
本発明に置ける光沢層のコーティング組成物の塗工量（キャスト塗被量）としては、  ５  〜  ５０  ｇ／ｍ２  （不揮発分換算）  が好ましく、  ７  〜  ３５  ｇ／ｍ２  （不揮発分換算）  がより好ましい。
【００６０】
コーティング後の乾燥および光沢付与の方法としては、温風による乾燥、カレンダーリングやキャスト等が用いられる。より具体的には、塗工後、コーティング組成物が未だ湿潤している状態で、キャストロールの温度を６０〜１００  ℃に設定して、キャストすることが好ましい。
【００６１】
このようにして得られたインクジェット記録媒体は、光沢が高く、耐候性、折り曲げによる応力変化に追従性があり、高いインク受容性を兼ね備えている点で極めて卓越した性能を有している。
【００６２】
実施例
製造例１
重合缶に、水７０重量部、アルキルアリルスルホコハク酸ナトリウム０．４重量部及びポリオキシエチレンノニルフェニルエーテル０．２重量部を仕込み、攪拌して溶解させ、７５℃まで昇温し、これに４％過硫酸カリウム１０重量部と下記乳化モノマー組成物を２時間にかけて滴下しながら重合反応を進行させ、滴下後１時間反応を熟成して、乳白色の合成樹脂エマルジョンを得た。
【００６３】
水・・・・・・・・・・・・・・・・・・・・      ５０重量部
ポリオキシエチレンノニルフェニルエーテル・・・  ０．２重量部
アルキルアリルスルホコハク酸ナトリウム・・・・  １．０重量部
メチルメタアクリレート・・・・・・・・・・・・  ３０重量部
ブチルアクリレート・・・・・・・・・・・・・・  ７０重量部
メタクリル酸・・・・・・・・・・・・・・・・・  ３重量部
ビニルトリエトキシシラン・・・・・・・・・・・  ５重量部
この合成樹脂エマルジョンに、１０％アンモニア水溶水溶液２重量部を加えて、ｐＨを約９に調整した。得られた合成樹脂エマルジョン粒子のガラス転移点はＤＳＣ（パーキン・エルマー社製）の測定で１５℃以下の温度領域に変局点が見られた。
【００６４】
製造例２−８
製造例１において、重合缶の乳化剤及び乳化モノマー組成物中の乳化剤、ラジカル重合性不飽和単量体、アルコキシシリル基を側鎖に有する単量体等を表−１に示す通り変更した以外は、製造例１と同様に行った。
【表１】
0003599677.tif 000018
【表２】
0003599677.tif 000019
【００６５】
製造例９
重合缶に、水５０重量部、アルキルアリルスルホコハク酸ナトリウム０．４重量部及びポリオキシエチレンノニルフェニルエーテル０．２重量部を仕込み、攪拌して溶解させ、７５℃まで昇温し、これに４％過硫酸カリウム１３重量部と下記乳化モノマー組成物を３時間にかけて滴下しながら重合反応を進行させ、第一段目を重合した。
【００６６】
0003599677.tif 000020
引き続き、下記乳化モノマー及び４％過硫酸カリウム１３重量部を３時間かけて滴下し、２段目の重合を行った。
【００６７】
0003599677.tif 000021
滴下終了後、１時間熟成を行い、均一で良好な合成樹脂エマルジョンを得た。得られたエマルジョンのガラス転移点をＤＳＣにて測定したところ、１５℃以下の温度領域に１点、７０℃以上の温度領域に１点の計２点の変局点が見られた。製造例１０
重合缶に、水５０重量部、アルキルアリルスルホコハク酸ナトリウム０．４重量部及びポリオキシエチレンノニルフェニルエーテル０．２重量部を仕込み、攪拌して溶解させ、７５℃まで昇温し、これに４％過硫酸カリウム１３重量部と下記乳化モノマー組成物を３時間にかけて滴下しながら重合反応を進行させ、第一段目の重合を行った。
【００６８】
0003599677.tif 000022
引き続き、下記乳化モノマー及び４％過硫酸カリウム１３重量部を３時間かけて滴下し、２段目の重合を行った。
【００６９】
0003599677.tif 000023
滴下終了後、１時間熟成を行い、均一で良好な合成樹脂エマルジョンを得た。得られたエマルジョンのガラス転移点をＤＳＣにて測定したところ、１５℃以下の温度領域に１点、７０℃以上の温度域に１点の計２点の変局点が見られた。
【００７０】
比較製造例１−６
製造例１において、重合缶の乳化剤及び乳化モノマー組成物中の乳化剤、ラジカル重合性不飽和単量体、アルコキシシリル基を側鎖に有する単量体等を表−２に示す通り変更した以外は、製造例１と同様に行った。
【表３】
0003599677.tif 000024
【００７１】
実施例１
製造例１の合成樹脂エマルジョンを不揮発分で３０重量部、製造例３の合成樹脂エマルジョンを不揮発分でで７０重量部混合し、得られた得られた合成樹脂エマルジョンのガラス転移点をＤＳＣにて測定したところ、１５℃以下の温度領域に１点、７０℃以上の温度域に１点の計２点の変局点が見られた。
上記合成樹脂エマルジョンの不揮発分１００重量部に対し、不揮発分で１２０重量部のコロイダルシリカを複合させ、増粘剤５重量部、離型剤としてポリエチレンワックス２重量部からなるコーティング組成物を調整した。
【００７２】
この塗被液を、紙基材上に、顔料、バインダー、カチオン性物質からなるインク定着層を施し、この上層にバーコーターを用いて塗被した後、直ちに表面温度が８０℃の鏡面を有すキャストドラムに圧接、乾燥後、離型させ、光沢を有すインクジェット記録用紙を得た。この時のキャスト塗被量は不揮発分換算で１０ｇ／ｍ２であった。
【００７３】
実施例２−１０
実施例１において、合成樹脂エマルジョンの種類や量、及びコロイダルシリカの量を表−３に示す通り変更した以外は、実施例１と同様に行った。
評価
このようにして得られた光沢を有する各インクジェット記録用紙について、白紙光沢、印字性、耐折り曲げ性について評価を行い、結果を表−１に示した。各試験の詳細は下記の通り。
白紙光沢：      ＪＩＳ−Ｐ８１４２に準拠し、７５°の光沢を測定し、下記の基準で評価した。
【００７４】
◎：                ６５以上
○：                ６０以上  ６５未満
△：                ５５以上  ６０未満
×：                ５５以下
印字性：          セイコーエプソン（株）製のインクジェットプリンターＰＭ−７７０を用いて、インクジェット印刷（ＩＳＯ／ＪＩＳ−ＳＣＩＤ  ＪＩＳ  Ｘ  ９２０１−１９９５：Ｎ５）を行い、目視にてその印字性を評価した。
評価基準は下記の通りとした。
【００７５】
◎：                良好に印刷されている
○：                問題無く印刷されている
△：                やや隣り合ったインクが混ざり合っている
×：                インクが流れて混ざり合い、実用的でない
耐折り曲げ性：    得られたインクジェット記録用紙を９０°に折り曲げた際の表面の状態を目視にて評価した。
【００７６】
○：                ヒビは見られない
△：                若干のヒビが見受けられるが実用上問題ないレベル
×：                バリバリという音と共にヒビが入る。
【００７７】
耐折り曲げ印刷性：            耐折り曲げ性試験を行った後、続いて印字性で用いたインクジェットプリンターを用いて、インクジェット印刷（ＩＳＯ／ＪＩＳ−ＳＣＩＤ  ＪＩＳ  Ｘ  ９２０１−１９９５：Ｎ５）を行い、目視にてその印字性を評価した。
○：                印刷を行っても画像に影響が無い。
△：                印刷を行うと若干の画像の乱れが見られるが実用上問題無いレベル
×：                印刷を行っても良好な画像が得られない。
【表４】
0003599677.tif 000025
【表５】
0003599677.tif 000026
比較例１
製造例  １の合成樹脂合成樹脂エマルジョンを不揮発分で１００重量部、不揮発分で１２０重量部のコロイダルシリカを複合させ、増粘剤  ５重量部、離型剤としてポリエチレンワックス  ２重量部からなる不揮発分３８重量％のコーティング組成物を調製した。
【００７８】
このコーティング組成物を実施例１と同様に塗工しインクジェット記録用紙を得た。この時のキャスト塗被量は不揮発分換算で１０ｇ／ｍ２であった。
比較例２−５
比較例１において、合成樹脂エマルジョンの種類や量、及びコロイダルシリカの量を表４に示す通り変更した以外は、比較例１と同様に行った。
【表６】
0003599677.tif 000027